(57)【要約】  【課題】  引出し容器を引出して下方に傾斜する際に、急激に下降することなく、且つ収納物の取り出しが容易な引出し容器を備えた冷蔵庫を得ること。  【解決手段】  上下方向に配置された複数の貯蔵室を有し、これらの貯蔵室の最上部の貯蔵室内の上部に引出し可能に設置された引出し容器を備えた冷蔵庫において、前記貯蔵室の壁面に設けられ前記引出し容器を前方への引出しに伴って当該引出し容器の前側が徐々に低くなるように支持する第一の引出し案内部材と、該第一の引出し案内部材と対向する位置に設けられた第二の引出し案内部材とを備え、該第二の引出し案内部材は庫内の上部空間を左右に仕切り、前記引出し容器は前記第一及び第二の引出し案内部材に係合する係合部を有することを特徴とする。【選択図】図４
2010038499.tif 000002
【特許請求の範囲】
【請求項１】
上下方向に配置された複数の貯蔵室を有し、該複数の貯蔵室の最上部の貯蔵室内の上部に引出し可能に設置された引出し容器を備えた冷蔵庫において、前記貯蔵室の壁面に設けられ前記引出し容器を前方への引出しに伴って当該引出し容器の前側が徐々に低くなるように支持する第一の引出し案内部材と、該第一の引出し案内部材と対向する位置に設けられた第二の引出し案内部材とを備え、前記引出し容器は前記第一及び第二の引出し案内部材に係合する係合部を有することを特徴とする冷蔵庫。
【請求項２】
請求項１において、前記第二の引出し案内部材は、前記最上部の貯蔵室内の上部空間を左右に仕切る仕切り兼用案内部材であって、該仕切り兼用案内部材の前側の上部は下部よりも奥行方向に凹んだ凹み部を有することを特徴とする冷蔵庫。
【請求項３】
請求項１において、前記引出し容器の前記係合部は側面に設けられたレール部とボス部であることを特徴とする冷蔵庫。
【請求項４】
請求項３において、前記第一および第二の引出し案内部材とをつなぐ支持部材を有することを特徴とする冷蔵庫。
【請求項５】
請求項３において、前記第一および第二の引出し案内部材がレール部とボス部を有し、該第一および第二の引出し案内部材のレール部は前記引出し容器のボス部と係合し、該第一および第二の引出し案内部材のボス部は前記引出し容器のレール部と係合することを特徴とする冷蔵庫。
【請求項６】
請求項５において、前記第一及び第二の引出し案内部材のレール部は後方に向かって次第に下方に傾斜する傾斜部を有することを特徴とする冷蔵庫。
【請求項７】
請求項５において、前記第一および第二の引出し案内部材の夫々の前記ボス部の前方及び後方を覆うように緩衝部材を有することを特徴とする冷蔵庫。
【請求項８】
請求項５において、前記支持部材の上面に摺動性と摩擦性を有する摺動部材を設け前記引出し容器と係合させることを特徴とする冷蔵庫。
【請求項９】
請求項１において、前記引出し容器が手前に引出されて傾斜したとき、該引出し容器の取り出し部が隣の棚とほぼ水平の位置になることを特徴とする冷蔵庫。
【請求項１０】
請求項５において、前記引出し容器のレール前部下端に該引出し容器と前記第一および第二の引出し案内部材の前記ボス部あるいは前記緩衝部材との係合を、該引出し容器を手前に引いてから上方に上げて外すための開口を備えることを特徴とする冷蔵庫。
【請求項１１】
請求項５において、前記第一および第二の引出し案内部材の前記レール部後端に形成されたレール後端開口と、前記引出し容器の後部に形成され該引出し容器を冷蔵室の奥の方向に押し込んでから該引出し容器の後端部を上方に押し上げて前記レール後端開口との係合状態が外れるボス部を有することを特徴とする冷蔵庫。
【請求項１２】
請求項１において、前記引出し容器の前側部には弾性体の過大負荷防止部材が備えられていることを特徴とする冷蔵庫。
【発明の詳細な説明】
【技術分野】
【０００１】
本発明は、冷蔵庫に関するものである。
【背景技術】
【０００２】
近年、冷蔵庫の高さをできるだけ高くすると共に冷蔵庫の奥行きを増大して、冷蔵庫内の収納スペースを増大した大型の冷蔵庫を購入する家庭が増加している。しかし、大型の冷蔵庫は、最上部の貯蔵室内の上部に収納した食品を取り出す作業やその上部の奥の部分の清掃がしづらいものとなっている。
【０００３】
そこで、例えば特開平１０−１８５４２０号公報（特許文献１）や登録実用第３０１２５０２号（特許文献２）に示すように、引出し容器の前側または引出しの前側が下方に傾斜して、貯蔵室内に収納した食品の確認や取り出し作業を容易にした冷蔵庫或いは引出しおよびそれを用いた収納家具が開示されている。
【０００４】
前記特許文献１には、冷蔵室の収納棚上に前記引出し容器を戴置し、支持具のローラーを引出し容器の側面端部に設けたフランジ部の挿入孔に挿入し、前記ローラーで前記フランジ部を摺動自在に支持することにより、前記引出し容器を前記冷蔵室の前後にスライド可能に出し入れできると共に、前記引出し容器を前記冷蔵室の前面に引出した時、前記支持具が回動して、前記引出し容器の前面側が下方に傾斜し、収納食品の出し入れが容易にできる冷蔵庫が開示されている。
【０００５】
また、前記特許文献２には、家具本体の上部に設ける引出しを、その側板に設けたスライドレール部を家具本体内面に設けたスライドレール部に摺動自在に取り付けて家具本体の内部に水平に収納し、家具本体内面の前部に引出し側スライドレール部に係合するローラーを設け、引出しを家具本体から引出すと引出し側スライドレール部が家具本体側スライドレール部から外れ、引出しがローラーを支点として前下がりに傾動し、引出し後部に設けた当たり止めが家具本体の適所に係止して引出しを前下がりに傾倒した状態に保持することで、引出しの中身を容易に見渡せることができる家具が開示されている。
【０００６】
【特許文献１】特開平１０−１８５４２０号公報
【特許文献２】登録実用第３０１２５０２号公報
【発明の開示】
【発明が解決しようとする課題】
【０００７】
しかし、前記特許文献１及び２は、引出し容器を引出して下方に傾斜する際にゆっくり下降するように手で補助しないと、引出し容器が急激に下降して衝撃により収納食品の飛散や落下の虞があった。また、重量物が収納されている場合は、急激な下降の衝撃で引出し容器が破損する虞があった。また、引出し容器を片側で支持する構造であるため、プラスチックなどの加工が容易で安価な材質では強度を確保するのが困難であった。
【０００８】
本発明の目的は、引出し容器を引出して下方に傾斜する際に、急激に下降することなく、且つ収納物の取り出しが容易な引出し容器を備えた冷蔵庫を得ることにある。
【課題を解決するための手段】
【０００９】
前述の目的を達成するために、本発明は、上下方向に配置された複数の貯蔵室を有し、該複数の貯蔵室の最上部の貯蔵室内の上部に引出し可能に設置された引出し容器を備えた冷蔵庫において、前記貯蔵室の壁面に設けられ前記引出し容器を前方への引出しに伴って当該引出し容器の前側が徐々に低くなるように支持する第一の引出し案内部材と、該第一の引出し案内部材と対向する位置に設けられた第二の引出し案内部材とを備え、前記引出し容器は前記第一及び第二の引出し案内部材に係合する係合部を有することを特徴とする。
【００１０】
また、前記第二の引出し案内部材は、前記最上部の貯蔵室内の上部空間を左右に仕切る仕切り兼用案内部材であって、該仕切り兼用案内部材の前側の上部は下部よりも奥行方向に凹んだ凹み部を有することを特徴とする。
【００１１】
また、前記引出し容器の前記係合部は側面に設けられたレール部とボス部であることを特徴とする。
【００１２】
また、前記第一および第二の引出し案内部材とをつなぐ支持部材を有することを特徴とする。
【００１３】
また、前記第一および第二の引出し案内部材がレール部とボス部を有し、該第一および第二の引出し案内部材のレール部は前記引出し容器のボス部と係合し、該第一および第二の引出し案内部材のボス部は前記引出し容器のレール部と係合することを特徴とする。
【００１４】
また、前記第一及び第二の引出し案内部材のレール部は後方に向かって次第に下方に傾斜する傾斜部を有することを特徴とする。
【００１５】
また、前記第一および第二の引出し案内部材の夫々の前記ボス部の前方及び後方を覆うように緩衝部材を有することを特徴とする。
【００１６】
また、前記支持部材の上面に摺動性と摩擦性を有する摺動部材を設け前記引出し容器と係合させることを特徴とする。
【００１７】
また、前記引出し容器が手前に引出されて傾斜したとき、該引出し容器の取り出し部が隣の棚とほぼ水平の位置になることを特徴とする。
【００１８】
また、前記引出し容器のレール前部下端に該引出し容器と前記第一および第二の引出し案内部材の前記ボス部あるいは前記緩衝部材との係合を、該引出し容器を手前に引いてから上方に上げて外すための開口を備えることを特徴とする。
【００１９】
また、前記第一および第二の引出し案内部材の前記レール部後端に形成されたレール後端開口と、前記引出し容器の後部に形成され該引出し容器を冷蔵室の奥の方向に押し込んでから該引出し容器の後端部を上方に押し上げて前記レール後端開口との係合状態が外れるボス部を有することを特徴とする。
【００２０】
また、前記引出し容器の前側部には弾性体の過大負荷防止部材が備えられていることを特徴とする。
【発明の効果】
【００２１】
本発明によれば、引出し容器を引出して下方に傾斜する際に、急激に下降することなく、且つ収納物の取り出しが容易な引出し容器を備えた冷蔵庫を得ることができる。
【発明を実施するための最良の形態】
【００２２】
以下、本発明の一実施形態の冷蔵庫について、図面を参照しながら説明する。まず、実施例の冷蔵庫の全体に関して、図１，図２，図３を用いて説明する。図１は冷蔵庫の正面図、図２は冷蔵室最上部空間に引出し容器を設けた概略断面図、図３は冷蔵室最上部空間に引出し容器を設けた正面図である。
【００２３】
冷蔵庫本体１の前面には、冷蔵室２，保湿冷凍室３，冷凍室５，野菜室６の前面開口部を閉塞する冷蔵室扉２ａ〜６ａが設けられている。冷蔵室扉２ａ，２ｂは冷蔵室２の前面開口部を閉じる扉、保湿冷凍室３の扉は保湿冷凍室３の前面開口部を閉じる扉、冷凍室扉５ａは冷凍室５の前面開口部を閉じる扉、野菜室扉６ａは野菜室６の前面開口部を閉じる扉である。冷蔵室扉２ａ，２ｂは、左右の扉が両端のヒンジ中央から両側に開く両開きの扉で構成されている。保湿冷凍室３の扉，冷凍室扉５ａ，野菜室扉６ａは引出し式の扉によって構成され、引出し扉とともに貯蔵室内の引出し容器が引出される。
【００２４】
冷蔵室２内部には、食品を戴置する為の棚１１と、この棚１１の支持用に冷蔵室２内部の側面の壁に支持部１２を有している。上記冷蔵室扉２ａ，２ｂには、調味料や飲料水などのボトルを収納する扉ポケット１４が、扉内板２ｃに取り付けられて、冷蔵室２の内部空間に対向する位置に大きく突出している。したがって、冷蔵室２内部に設けられた棚１１を取外してクリーニングする場合は、冷蔵室２の内部空間に突出した扉ポケット１４に当接することのないように、冷蔵室扉２ａ，２ｂを大きく開放し、例えば開放角度を１２０度以上にする必要がある。
【００２５】
冷蔵庫本体１は図２に示すように、鋼板製の外箱と樹脂製の内箱との間にウレタン発泡断熱材及び真空断熱材（図示省略）を有して構成され、上から冷蔵室２，保湿冷凍室３，製氷室４，冷凍室５，野菜室６の順に複数の貯蔵室を有している。上記冷蔵室２内の最上部は、図２及び図３に示すとおり、第一の引出し案内部材（以下、案内部材１３と称する）および第二の引出し案内部材（以下、仕切り兼用案内部材７と称する）と引出し容器１５を備えている。仕切り兼用案内部材７は、庫内の最上部空間を左右に仕切って、その左側に引出し容器１５を引出し可能に案内部材１３と共に支持案内するためのものである。
【００２６】
この引出し容器１５の前面側上部には、弾性変形する過大負荷防止部材１６が備えられている。この過大負荷防止部材１６は、例えば直径３mmのステンレス線などの弾性変形する部材で作られている。これは、利用者が引出し容器１５に手を掛けた状態で容器の内部をよく見ようとして引出し容器１５に対して下方に引き下げる力を加えた場合、引出し容器１５に過度の荷重が加わることを防止する為に設けている。すなわち、引出し容器１５を引出した状態で容器の中が見渡せない身長の利用者が、大きな力を加えて背伸びを補助する行動をすると、容器が破損若しくは冷蔵庫本体の取付け部が破損する虞が考えられる。そこで、防止するために上記弾性変形する過大負荷防止部材１６を設けると、例えば直径３mmのステンレス線が少しの力で弾性変形するため、それ以上大きな力を加えるのを防止できる。
【００２７】
冷蔵庫本体１の天井面には、照明手段１７が設けられて、最上段の空間の食品を見やすくしている。支持部材１８は、前記引出し容器１５を摺動可能に戴置するものである。
【００２８】
一般的に、冷蔵庫本体の最上段の棚、特に棚の奥は、使い難いデッドスペースとなっている。上記棚のうち、冷蔵室の上部空間に備えられた棚は、棚の高さ位置が高い。即ち、近年の主流の冷蔵庫は、庫内容積が４００リットル以上であり、冷蔵庫全体の高さ寸法は約１８０cm、冷蔵室の庫内最上部の高さ位置は約１７５cm、庫内最上部に配置された棚の高さ位置は１５５cm前後である。この高さ位置１５５cm前後の棚の上面に戴置された食品、例えば高さ寸法１０cmから１５cmの食品を戴置すると、目の高さが１６５cmから１７０cm、つまり身長１８０cm位の人でないと、棚の前部に戴置された食品が前面を塞いでしまい、奥に収納された食品が見えないことになる。但し、背伸びをして棚の奥を見れば、身長１７０cm位の人でも棚の奥に収納された食品を何とか見ることが出来る。
【００２９】
しかし、身長の低い人の目の高さ（例えば身長１５５cmの人の目の高さ位置は１４５cm位）は、庫内最上部に配置された棚の高さ位置１５５cm前後よりも低く、背伸びをして目線高さ位置が同じくらいになるに過ぎない。したがって、棚の上面に高さ寸法１０cmから１５cmの食品を戴置すると、食品上面の高さ位置は１６５cmから１７０cmとなるため、棚の前部に戴置された食品が奥に収納した食品を覆ってしまい背伸びをしても見えない。
【００３０】
しかも、棚の上の前部に、例えば高さ寸法が１７.５cmの５００cc缶飲料を戴置した場合は、冷蔵室の庫内上面壁との間に２.５cm前後の小さな空間しか残っていない。このため、身長が１８０cmの人でも、奥部にどのような食品が収納されているかは、実質的に殆ど確認出来ないことが判った。この為、棚の奥に収納された食品が見え難く、正味期限を過ぎてしまう虞がある。
【００３１】
本発明は、このようなことも考慮したものである。以下実施例の詳細を、図４から図１３により説明する。図４は、図３における引出し容器１５の引出す前と後の状態を示す斜視図である。図５は、図４の引出し容器１５およびその支持案内機構の引出し動作状態を説明する断面図である。図６は、引出し容器１５，仕切り兼用案内部材７および案内部材１３の詳細を示す斜視図である。図７は、案内部材１３と緩衝部材２０を示す図である。図８は、引出し容器１５の構成を説明する斜視図である。図９は、引出し容器１５の引出された状態を示す断面図である。図１０は、引出し容器１５を引出した状態の下段の棚との関係を説明する図である。図１１は、引出し容器１５の高さ位置を大きく上昇させないで冷蔵庫本体から取外す場合を示す図である。図１２は、引出し容器１５の高さ位置を大きく上昇させて扉ポケット１４を避けるように大きく傾斜させて冷蔵庫本体から取外す場合を示す図である。図１３は、扉ポケット１４を避けるように仕切り兼用案内部材７の凹み部７ａ側に水平回動させて冷蔵庫本体から取外す場合を示す図である。
【００３２】
図４，図５，図１０に図示の実施例のように、引出し容器１５を手前に引出すことにより、引出しに伴って引出し容器１５の前面側が徐々に斜め下方に下降してくる。このようにすることで、冷蔵室内の奥に収納された食品を手前の食品が覆うことを抑制して見やすい状態にできると共に、急激な下降がないことから収納食品が倒れることを抑制できる。また、このように、引出し容器の前面側が徐々に斜め下方に下降してくるようにすることで、手前の食品が取り出しやすくなることは勿論のこと、手前の食品が奥の食品の取り出しに邪魔になり難い、或いは奥の食品が冷蔵室の前面まで引出されるので引出し容器１５の側方から取り出せる。
【００３３】
上記傾斜角度は、見易さ，取り出し易さ，食品の倒れ難さ等から、凡そ１２度前後が好ましいことが判った。この傾斜角度は、図示の仕切部材２１の高さ寸法及び間隔を適宜設定することで、１５度乃至２０度として、より見易くすることが可能である。
【００３４】
また、引出し容器１５の奥の部分が仕切り兼用案内部材７の先端部近くまで引出し易くするように、仕切り兼用案内部材７のレール部７ｃ前側の上方部分に空間を形成するように、仕切り兼用案内部材７の前面上部を前面下部よりも奥行き方向に凹んだ凹み部７ａを設けた。この凹み部７ａを設けることによって、図４（ｂ），図１０（ａ）に図示のとおり引出し容器１５の後端部の側面が露出して見える。これによって、凹み部７ａ前方の空間から引出し容器１５後端部の食品を直接見て、引出し容器１５の側方から容易に取り出すことができる。
【００３５】
上記のとおり、引出し容器１５は弾性変形する過大負荷防止部材１６を設けて、少しの力で弾性変形するようにしたことで、それ以上大きな力を加えるのを防止している。これに加えて、図５，図６，図８，図１０に図示の引出し容器１５の前面上端部は、他の部分の肉厚寸法に対して肉厚を薄くした前面上端薄肉部１５ｂとしている。これは、引出し容器１５を取外して清掃する際に、過大負荷防止部材１６を取り外して過大負荷防止部材１６を紛失した場合でも、前記前面上端薄肉部１５ｂが弾性変形することにより過大負荷防止部材１６と同様の効果を得るようにしている。但し、薄くし過ぎると通常使用時に破損し易いので、例えば前面上端薄肉部１５ｂを２０キロ程度の荷重に耐えられるように、１.５mmの厚さとした。この場合の引出し容器１５は、材質が高強度のポリスチレンで、前面上端薄肉部１５ｂ以外の部分の肉厚は３mmであり、前面上端薄肉部１５ｂの高さ寸法が２０mmである。前面上端薄肉部１５ｂの肉厚，高さ寸法は、材質や目的によって適宜設定すればよい。
【００３６】
引出し容器１５は、冷蔵室２の内部の最上段の支持部材１８の上に、摺動して引出し可能なように配置されている。この引出し容器１５は、引出していないときは水平に設置されている。これは、引出し容器１５が冷蔵室２の上部に配置されている為、引出し容器１５の下には食品等が貯蔵されている。この引出し容器１５は、前方への引出しに伴って当該引出し容器の前側が徐々に低くなるように下方に傾斜する。
【００３７】
この前方への引出しに伴って引出し容器の前側を徐々に低くなるのは、上記のように下方に傾斜するように、上記引出し容器１５と引出し容器１５を支持及び引出し時に案内する支持案内機構のレール部７ｃ，１３ａ，１５ａとボス部７ｂ，１３ｂ，１５ｃで行っている。即ち、冷蔵室内の左側の壁面に取り付ける案内部材１３と、庫内の最上部空間を左右に仕切る仕切り兼用案内部材７、そして引出し容器１５のそれぞれにレール部７ｃ，１３ａ，１５ａとボス部７ｂ，１３ｂ，１５ｃを設け、これらを設ける位置関係および形状により、引出しに伴って引出し容器の前側が徐々に低く傾斜するように摺動可能に組合せた。
【００３８】
すなわち、レール部は図５，図６に図示のとおり、レール部７ｃ，１３ａの約半分の水平な前方部分から後方部分が下方に傾斜しており、このレール部７ｃ，１３ａに引出し容器１５のボス部１５ｃが摺動可能に係合している。引出し容器１５が引出されていない図５（ａ）の状態では、レール部７ｃ，１３ａの傾斜した後端の一番低い部分にボス部１５ｃが係合している。この状態から徐々に引出し容器１５を引出していくと、レール部７ｃ，１３ａの傾斜の徐々に高い位置にボス部１５ｃが移動する。このボス部１５ｃの移動と共に、引出し容器１５の前方部分がレール前端開口７ｄ，１３ｃのレール部７ｃ，１３ａ下側の曲面に沿って、引出し容器１５の前方部分が下方に徐々に下がって引出し容器１５が傾斜する。レール後端開口７ｅ，１３ｅ及びレール前部下端開口１５ｅは、引出し容器１５の複数通りの取外し方の一つで必要となる。追って図１１，図１２を用いて説明する。
【００３９】
図７に図示の緩衝部材２０は、引出し容器１５が引出されていない状態では、図５（ａ）に図示のとおりレール部１５ａの前端に係合してそれ以上奥に入らないようにしている。尚、図５（ａ）の状態では、点線で示すレール部１３ａがボス部１５ｃの上方に位置しており、レール後端開口１３ｅから外れるのを防止している。
【００４０】
引出した状態では図５（ｃ）に図示のとおり、レール部１５ａの後端に係合してそれ以上引出せないようにしている。
【００４１】
支持部材１８は、図６，図７に図示の支持部材取付け部７ｆ，１３ｄに取り付けられており、引出し容器１５を戴置するためのものである。
【００４２】
更に、引出しに伴って引出し容器１５の前面側が徐々に斜め下方に下降してくるようにしたことによって、下降時に手で補助しなくても、引出し容器が急激に下降することがない。したがって、衝撃により収納食品の飛散や落下の虞を無くすことができる。また、重量物が収納されている場合でも、急激な下降の衝撃がないので引出し容器１５の破損を防止できる。ひいては、急激な下降の衝撃に対応した強度に作る必要がないので、高価な材料或いは肉厚を大きくする必要がない。
【００４３】
また、引出し容器１５の幅寸法を、冷蔵室扉２ａの幅寸法以下とした。これにより、引出した際に、引出し容器１５の奥に収納された食品でも、引出し容器１５の側方から手を入れて取り出せるので、食品を容易に取り出すことができる。しかも引出し容器１５の設けていない側の冷蔵室扉２ｂを閉じた状態でも、引出し容器１５を引出して食品を取り出しできる。これによって、冷気の流出を抑えることができ、省電力につながる。
【００４４】
図７に図示のとおり、前記案内部材１３及び仕切り兼用案内部材７の夫々のボス部の前方及び後方を覆うように、シリコンゴム製の緩衝部材を取り付けた。このように案内部材１３のボス部１３ｂ及び仕切り兼用案内部材７のボス部７ｂに緩衝部材２０を取り付けたことにより、引出し時及び収納時ともに衝撃と衝突音の緩衝をすることができる。また、図８に図示のとおり、引出し容器１５の中に取外し可能な仕切部材２１を設けた。仕切部材２１の取り付け箇所を複数箇所設け、引出し操作時の収納食品の倒れ防止及び整理性を向上させた。仕切部材２１により、収納食品に応じて引出し容器１５内を自由に区画できる。
【００４５】
仕切部材２１は、仕切部材取付けリブ１５ｄに仕切部材挿入部２１ａをスライド挿入することにより取付け容易にしている。
【００４６】
図９に図示のとおり、引出し容器１５の落下を防ぐため、案内部材１３のボス部１３ｂと仕切り兼用案内部材７のボス部７ｂとを連結固定する支持部材１８を設け、レール部１５ａと仕切り兼用案内部材７間の間隔寸法を固定した。これにより、隣の空間に棚がない場合に、引出し容器１５の中に収納食品を収納して負荷が大きくなって仕切り兼用案内部材７が変形するのを防止でき、引出し容器１５が落下するのを防ぐ。また、隣の棚の場合においても同様で、引出し容器がない場合の落下を防ぐことができる。
【００４７】
図９に図示のとおり、前記支持部材１８の上面に摺動性と摩擦性を有する摺動部材１９を設け、引出し容器と係合させることにより、摺動部材１９の摩擦性によって摺動速度を緩やかにする。これに加えて、開閉端部において緩衝部材２０の緩衝作用で衝撃を緩衝させる。上記摺動部材１９は、摺動性と摩擦性及び耐摩耗性を考慮してウレタンゴムを用いた。
【００４８】
尚、上記摺動部材１９の摺動性は、収納食品の重量による引出し容器１５の撓み量が大きいほど大きな力で接するので、重量に対応して摺動性が変わる。このように、引出し容器に収納する収納食品の重量により、引出し容器は撓んでしまう。これを利用し、引出し容器に何も入ってない状態及び軽いものだけの場合、引出し容器は撓まないので摺動部材１９と余り干渉せず、摺動負荷が軽い。しかし、重いものを収納すると引出し容器１５が撓むので、摺動部材１９と干渉して摺動が重くなる。引出し容器１５に重いものが収納されるほど引出し容器１５が撓み、摺動部材１９との干渉が大きくなるので、摺動負荷がより大きくなる。これによって、摺動速度を緩やかにして、衝撃を小さくすることができる。上記摺動部材１９に戴置される引出し容器１５は、その底面にリブ２３を複数有する。このリブ２３の後端部には、図９（ｃ）に図示のとおり引出し容器１５を完全に引き出した状態で接触して安定した状態を維持する為の突出接触部２３ａを有する。
【００４９】
図１０に図示のとおり、引出し容器が手前に傾いたとき、引出し容器の取り出し部が、図１０（ａ）の点線Ｌで示すように、隣の棚とほぼ水平の高さ位置になるように傾斜（角度１２度）させることで、取り出し性の向上を図る。それと共に、引出し容器１５の下方の棚の収納領域Ｓの前端上部の角に緩衝しない程度に傾斜しており、引出し容器１５を引出した状態でも下方の棚の収納食品の取り出しが可能である。また、回転中心が下の棚の収納領域の上方にあるにもかかわらず、引出した際には棚の収納領域に干渉しないので、食品などに接触することもない。上記傾斜角度を１２度に設定したものでは、図１０（ｂ）に示す引出し容器１５の前端高さの差Ｈは約５０mmで、後端の高さの差は約３０mmである。したがって、引出した際は、高さ方向に約８０mmの差ができるので、前端の食品から後端の食品まで容易に見ることができる。この時に、冷蔵庫から５０cm位は離れて立つのが普通であり、この場合は目の高さが引出し容器１５の前端の高さよりも少し低い人でも食品を見ることができる。
【００５０】
引出し容器１５を冷蔵庫本体１から取り外す方法を、図１１から図１３を用いて説明する。図１１は、扉の開放角度が充分で（実施例では１２０度以上）、扉ポケット１４が引出し容器１５の引出し方向に重ならない状態で取り出す場合の図である。尚、図１１（ａ）の状態では、図５（ａ）に点線で示すレール部１３ａが位置しており、レール後端開口１３ｅから外れるのを防止している。
【００５１】
図１１は、扉ポケット１４が引出し容器１５の引出し方向に重ならない状態で取り出せるので、物を入れたまま引出し容器１５を取り出しやすいようにしている。すなわち、図１１（ａ）の状態の引出し容器１５を、図１１（ｂ）の白抜き矢印のように手前に少し引いてから上方に少し上げてレール前部下端開口１５ｅにより緩衝部材２０をレール部１５ａから外す。この状態で図１１（ｃ）の白抜き矢印のように手前に引くと、レール部１３ａのレール前端開口１３ｃからボス部１５ｃが外れ、引出し容器１５を冷蔵庫本体１から取外すことができる。
【００５２】
このように、引出し容器１５のレール部１５ａの前部下端に、この引出し容器１５と案内部材１３，仕切り兼用案内部材７（第一および第二の引出し案内部材）のボス部１３ｂ，７ｂあるいは緩衝部材２０との係合を、引出し容器１５を手前に引いてから上方に上げて外すための開口を備えるので、容易に取外しができる。
【００５３】
図１２及び図１３は、冷蔵室扉２ａの開放角度に制限があり、開放角度が不充分な場合でも取り出せる方法を示す図である。つまり、扉ポケット１４が引出し容器１５の引出し方向に重なっていても取り外すことができる例を示す。
【００５４】
図１２は、図１１（ｂ）の状態から図１２（ａ）の白抜き矢印のように冷蔵室の奥の方向に押し込んで、この押し込んだ状態から図１２（ｂ）の引出し容器１５の後端部を白抜き矢印のように上方に押し上げる。これで、引出し容器１５は、他の部材と全て係合する部分がなくなる。この状態から図１２（ｃ）の白抜き矢印のように引出し容器１５を手前側に引きながら扉ポケット１４に接触しないように前端部を下方に下げるように引く。これにより、引出し容器１５を、冷蔵庫本体１から取外すことができる。上記、図１２（ｂ）の引出し容器１５の後端部を白抜き矢印のように上方に押し上げることができるように、ボス部１５ｃの直径をレール後端開口１３ｅの開口寸法より小さくしている。
【００５５】
このように、案内部材１３，仕切り兼用案内部材７（第一および第二の引出し案内部材）のレール部後端に形成されたレール後端開口１３ｅ，７ｅと、引出し容器１５の後部に形成され、引出し容器１５を冷蔵室の奥の方向に押し込み、この状態で引出し容器１５の後端部を上方に押し上げて前記レール後端開口１３ｅ，７ｅとの係合状態が外れるボス部１５ｃを有するので、不用意にレール後端開口１３ｅ，７ｅとボス部１５ｃとの係合状態が外れることはなく、且つ必要な場合には容易に係合状態を外すことができる。
【００５６】
図１３は、扉を９０度の角度に開放した状態で、物を入れたまま引出し容器を取り出すための方法で、図１２（ｂ）の状態から図１３（ａ）のように仕切り兼用案内部材７の凹み部７ａの空間に入るように引出し容器１５を水平方向に回動させる。すなわち、図１３（ｂ）の平面図で説明すると、白抜き矢印のように引出し容器１５を手前側に引出しながら扉ポケット１４に接触しないように前端部を水平方向に回動させる。これにより、引出し容器１５を水平に保ったまま冷蔵庫本体１から取外すことができる。よって、引出し容器１５に食品を収納したままで、且つ食品を倒さずに取外すことができる。
【００５７】
上記実施例によれば、引出し容器１５は、前方への引出しに伴って当該引出し容器１５の前側が容器の引出しに伴って徐々に低く下がるようにした。手前側が低く下がった状態に傾斜して支持されるので、簡単な構成で収納スペースの減少を招くことなく、奥に収納された食品を見渡すことができる。しかも、食品を取り出す作業や引出し容器１５の奥の部分の清掃を容易に行うことができる。
【００５８】
更に、引出し容器１５の奥の部分が仕切り兼用案内部材７の先端部近くまで引出し易くするように、仕切り兼用案内部材７のレール部７ｃ前側の上方部分に空間を形成している。この空間は、仕切り兼用案内部材７の前面上部を前面下部よりも奥行き方向に凹んだ凹み部７ａによって形成されている。このように、空間を形成する凹み部７ａが形成されているので、引出し容器１５の奥の部分が仕切り兼用案内部材７の先端部近くまで引出せて、奥の食品を引出し容器１５側面から容易に取り出すことができる。
【００５９】
上記実施例によれば、引出し容器１５の手前側が低く下がった状態に傾斜して支持されるので、身長の低い人でも使い易い。また、手前の食品を一時的に移動させることなく、容易に奥の物を取ることができる。また、汚れ易い底面が見やすく且つ、手が届き易くなった或いは取外し容易になったことにより、最上段の収納容器の清掃性を向上することが出来る。
【００６０】
更に以上の各実施例によれば、手前に引出すことにより、斜めに下降してくる引出し容器にして、奥の食品を手前に引出すことで、手前の食品はもちろんのこと、奥の食品も傾斜した状態で手前の位置まで出てくるので見易く且つ取り出し易い。
【００６１】
また、前記レール部及び仕切り兼用案内部材７のボス部の前方及び後方を覆うように、シリコンゴム製の緩衝部材２０を取り付けたことにより、前後を覆うことで、引出し時及び収納時ともに衝撃と衝突音の緩衝・緩和をすることができる。
【００６２】
また、引出し容器の中に取外し可能な仕切り板を設け、また取り付け箇所を複数箇所設け、整理し易くした。これにより、収納食品によって引出し容器内を自由に区画を区切ることができるので、食品収納の自由度を向上できる。
【００６３】
また、引出し容器１５の落下を防ぐため、案内部材１３と仕切り兼用案内部材７とをつなぐ支持部材１８を設け、レール部１５と仕切り兼用案内部材７間の寸法を固定した。
【００６４】
これにより、隣の棚がない場合に、引出し容器の中に重量の大きな食品を収納したことによって、仕切り兼用案内部材７が変形するのを防止して、引出し容器１５の落下を防ぐ。隣の棚の場合においても同様で、引出し容器１５がない場合の落下を防ぐことができる。
【００６５】
また、前記支持部材１８に耐摩耗性が高く、適度な摺動性を有する摺動部材１９を設け、引出し容器と係合させることにより、摺動部材１９による適度な摺動性によって緩やかに摺動するので衝撃を緩衝させる。
【００６６】
尚、上記摺動部材１９の摺動性は、収納食品の重量による引出し容器１５の撓み量が大きいほど大きな力で接するので、重量に対応して摺動性が変わる。このように、引出し容器に収納する収納食品の重量により、引出し容器は撓んでしまう。これを利用し、引出し容器１５に何も入ってない状態及び軽いものだけの場合、引出し容器１５は撓まないので摺動部材１９と余り干渉せず、摺動負荷が軽い。しかし、重いものを収納すると引出し容器１５が撓むので、摺動部材１９と干渉するので摺動が重くなる。引出し容器１５に重いものが収納されるほど引出し容器１５が撓み、摺動部材１９との干渉が大きくなるので、摺動負荷がより大きくなる。これが摺動速度を緩やかにして、衝撃を小さくすることができる。
【００６７】
また、引出し容器が手前に傾いたとき、引出し容器の取り出し部が、隣の棚とほぼ水平の高さ位置になるように傾斜させることで、取り出し性の向上を図ると共に、引出し容器１５の下方の棚の収納領域の前端上部の角に緩衝しない程度に傾斜しており、引出し容器１５を引出した状態でも下方の棚の収納食品の取り出しが可能である。また、回転中心が下の棚の収納領域の上方にあるにもかかわらず、引出した際には棚の収納領域に干渉しないので、食品などに接触することもない。
【００６８】
また、冷蔵室扉２ａの開放角度に制限があり、開放角度が不充分な場合、つまり、扉ポケット１４が引出し容器１５の引出し方向に重なっていても取り外すことができるようにした。
【図面の簡単な説明】
【００６９】
【図１】冷蔵庫の概略正面図。
【図２】冷蔵室最上部空間に引出し容器を設けた概略断面図。
【図３】冷蔵室最上部空間に引出し容器を設けた正面図。
【図４】引出し容器を引出す前と後の状態を示す斜視図。
【図５】引出し容器の引出し動作状態を説明する断面図。
【図６】引出し容器と案内部材と仕切り兼用案内部材を説明する斜視図。
【図７】案内部材と緩衝部材を示す図。
【図８】引出し容器の構成を説明する斜視図。
【図９】引出し容器の引出しされた状態を示す断面図。
【図１０】引出し容器を引出した状態の説明図。
【図１１】引出し容器を取外す例１を示す図。
【図１２】引出し容器を取外す例２を示す図。
【図１３】引出し容器を取外す例３を示す図。
【符号の説明】
【００７０】
１  冷蔵庫本体
２  冷蔵室
２ａ，２ｂ  冷蔵室扉
３  保湿冷凍室
３ａ  保湿冷凍室扉
４  製氷室
４ａ  製氷室扉
５  冷凍室
５ａ  冷凍室扉
６  野菜室
６ａ  野菜室扉
７  仕切り兼用案内部材
７ａ  凹み部
７ｂ，１３ｂ，１５ｃ  ボス部
７ｃ，１３ａ，１５ａ  レール部
７ｄ  レール前端開口
７ｅ  レール後端開口
７ｆ  支持部材取付け部
１３  案内部材
１３ｃ  レール前端開口
１３ｄ  支持部材取付け部
１３ｅ  レール後端開口
１４  扉ポケット
１５  引出し容器
１５ｂ  前面上端薄肉部
１５ｄ  仕切部材取付けリブ
１５ｅ  レール前部下端開口
１８  支持部材
１９  摺動部材
２０  緩衝部材
２１  仕切部材
２２  制御装置
【図１】
2010038499.tif 000003
【図２】
2010038499.tif 000004
【図３】
2010038499.tif 000005
【図４】
2010038499.tif 000006
【図５】
2010038499.tif 000007
【図６】
2010038499.tif 000008
【図７】
2010038499.tif 000009
【図８】
2010038499.tif 000010
【図９】
2010038499.tif 000011
【図１０】
2010038499.tif 000012
【図１１】
2010038499.tif 000013
【図１２】
2010038499.tif 000014
【図１３】
2010038499.tif 000015
【手続補正書】
【提出日】平成21年1月7日(2009.1.7)
【手続補正１】
【補正対象書類名】明細書
【補正対象項目名】００２３
【補正方法】変更
【補正の内容】
【００２３】
冷蔵庫本体１の前面には、冷蔵室２，保湿冷凍室３，製氷室４，冷凍室５，野菜室６の前面開口部を閉塞する冷蔵室扉２ａ〜６ａが設けられている。冷蔵室扉２ａ，２ｂは冷蔵室２の前面開口部を閉じる扉、保湿冷凍室３の扉は保湿冷凍室３の前面開口部を閉じる扉、製氷室扉４ａは製氷室４の前面開口部を閉じる扉、冷凍室扉５ａは冷凍室５の前面開口部を閉じる扉、野菜室扉６ａは野菜室６の前面開口部を閉じる扉である。冷蔵室扉２ａ，２ｂは、左右の扉が両端のヒンジ中央から両側に開く両開きの扉で構成されている。保湿冷凍室３の扉，冷凍室扉５ａ，野菜室扉６ａは引出し式の扉によって構成され、引出し扉とともに貯蔵室内の引出し容器が引出される。
【手続補正２】
【補正対象書類名】明細書
【補正対象項目名】００２６
【補正方法】変更
【補正の内容】
【００２６】
この引出し容器１５の前面側上部には、弾性変形する過大負荷防止部材１６が備えられている。この過大負荷防止部材１６は、例えば直径３mmのステンレス線などの弾性変形する部材で作られている。これは、利用者が引出し容器１５に手を掛けた状態で容器の内部をよく見ようとして引出し容器１５に対して下方に引き下げる力を加えた場合、引出し容器１５に過度の荷重が加わることを防止する為に設けている。すなわち、引出し容器１５を引出した状態で引出し容器１５の中が見渡せない身長の利用者が、大きな力を加えて背伸びを補助する行動をすると、引出し容器１５が破損若しくは冷蔵庫本体１の取付け部が破損する虞が考えられる。そこで、これらを防止するために上記弾性変形する過大負荷防止部材１６を設けると、例えば直径３mmのステンレス線が少しの力で弾性変形して、それ以上大きな力を加えるのを防止できる。
【手続補正３】
【補正対象書類名】明細書
【補正対象項目名】００２８
【補正方法】変更
【補正の内容】
【００２８】
一般的に、冷蔵庫本体の最上段の棚１１、特に棚の奥は、使い難いデッドスペースとなっている。上記棚１１のうち、冷蔵室２の上部空間に備えられた棚は、棚１１の高さ位置が高い。即ち、近年の主流の冷蔵庫は、庫内容積が４００リットル以上であり、冷蔵庫全体の高さ寸法は約１８０cm、冷蔵室２の庫内最上部の高さ位置は約１７５cm、庫内最上部に配置された棚１１の高さ位置は１５５cm前後である。この高さ位置１５５cm前後の棚１１の上面に戴置された食品、例えば高さ寸法１０cmから１５cmの食品を戴置すると、目の高さが１６５cmから１７０cm、つまり身長１８０cm位の人でないと、棚１１の前部に戴置された食品が前面を塞いでしまい、奥に収納された食品が見えないことになる。但し、背伸びをして棚１１の奥を見れば、身長１７０cm位の人でも棚１１の奥に収納された食品を何とか見ることが出来る。
【手続補正４】
【補正対象書類名】明細書
【補正対象項目名】００２９
【補正方法】変更
【補正の内容】
【００２９】
しかし、身長の低い人の目の高さ（例えば身長１５５cmの人の目の高さ位置は１４５cm位）は、庫内最上部に配置された棚１１の高さ位置１５５cm前後よりも低く、背伸びをして目線高さ位置が同じくらいになるに過ぎない。したがって、棚１１の上面に高さ寸法１０cmから１５cmの食品を戴置すると、食品上面の高さ位置は１６５cmから１７０cmとなるため、棚１１の前部に戴置された食品が奥に収納した食品を覆ってしまい背伸びをしても見えない。
【手続補正５】
【補正対象書類名】明細書
【補正対象項目名】００３０
【補正方法】変更
【補正の内容】
【００３０】
しかも、棚１１の上の前部に、例えば高さ寸法が１７．５cmの５００ｃｃ缶飲料を戴置した場合は、冷蔵室２の庫内上面壁との間に２．５cm前後の小さな空間しか残っていない。このため、身長が１８０cmの人でも、奥部にどのような食品が収納されているかは、実質的に殆ど確認出来ないことが判った。この為、棚１１の奥に収納された食品が見え難く、正味期限を過ぎてしまう虞がある。
【手続補正６】
【補正対象書類名】明細書
【補正対象項目名】００３２
【補正方法】変更
【補正の内容】
【００３２】
図４，図５，図１０に図示の実施例のように、引出し容器１５を手前に引出すことにより、引出しに伴って引出し容器１５の前面側が徐々に斜め下方に下降してくる。このようにすることで、冷蔵室２内の奥に収納された食品を手前の食品が覆うことを抑制して見やすい状態にできると共に、急激な下降がないことから収納食品が倒れることを抑制できる。また、このように、引出し容器１５の前面側が徐々に斜め下方に下降してくるようにすることで、手前の食品が取り出しやすくなることは勿論のこと、手前の食品が奥の食品の取り出しに邪魔になり難い、或いは奥の食品が冷蔵室２の前面まで引出されるので引出し容器１５の側方から取り出せる。
【手続補正７】
【補正対象書類名】明細書
【補正対象項目名】００４４
【補正方法】変更
【補正の内容】
【００４４】
図７に図示のとおり、前記案内部材１３及び仕切り兼用案内部材７の夫々のボス部の前方及び後方を覆うように、シリコンゴム製の緩衝部材２０を取り付けた。このように案内部材１３のボス部１３ｂ及び仕切り兼用案内部材７のボス部７ｂに緩衝部材２０を取り付けたことにより、引出し時及び収納時ともに衝撃と衝突音の緩衝をすることができる。また、図８に図示のとおり、引出し容器１５の中に取外し可能な仕切部材２１を設けた。仕切部材２１の取り付け箇所を複数箇所設け、引出し操作時の収納食品の倒れ防止及び整理性を向上させた。仕切部材２１により、収納食品に応じて引出し容器１５内を自由に区画できる。
【手続補正８】
【補正対象書類名】明細書
【補正対象項目名】００４６
【補正方法】変更
【補正の内容】
【００４６】
図９に図示のとおり、引出し容器１５の落下を防ぐため、案内部材１３のボス部１３ｂと仕切り兼用案内部材７のボス部７ｂとを連結固定する支持部材１８を設け、レール部１５ａと仕切り兼用案内部材７間の間隔寸法を固定した。これにより、隣の空間に棚１１がない場合に、引出し容器１５の中に収納食品を収納して負荷が大きくなって仕切り兼用案内部材７が変形するのを防止でき、引出し容器１５が落下するのを防ぐ。また、隣の棚１１の場合においても同様で、引出し容器１５がない場合の落下を防ぐことができる。
【手続補正９】
【補正対象書類名】明細書
【補正対象項目名】００４７
【補正方法】変更
【補正の内容】
【００４７】
図９に図示のとおり、前記支持部材１８の上面に摺動性と摩擦性を有する摺動部材１９を設け、引出し容器１５と係合させることにより、摺動部材１９の摩擦性によって摺動速度を緩やかにする。これに加えて、開閉端部において緩衝部材２０の緩衝作用で衝撃を緩衝させる。上記摺動部材１９は、摺動性と摩擦性及び耐摩耗性を考慮してウレタンゴムを用いた。
【手続補正１０】
【補正対象書類名】明細書
【補正対象項目名】００４８
【補正方法】変更
【補正の内容】
【００４８】
尚、上記摺動部材１９の摺動性は、収納食品の重量による引出し容器１５の撓み量が大きいほど大きな力で接するので、重量に対応して摺動性が変わる。このように、引出し容器に収納する収納食品の重量により、引出し容器１５は撓んでしまう。これを利用し、引出し容器１５に何も入ってない状態及び軽いものだけの場合、引出し容器１５は撓まないので摺動部材１９と余り干渉せず、摺動負荷が軽い。しかし、重いものを収納すると引出し容器１５が撓むので、摺動部材１９と干渉して摺動が重くなる。引出し容器１５に重いものが収納されるほど引出し容器１５が撓み、摺動部材１９との干渉が大きくなるので、摺動負荷がより大きくなる。これによって、摺動速度を緩やかにして、衝撃を小さくすることができる。
【手続補正１１】
【補正対象書類名】明細書
【補正対象項目名】００４９
【補正方法】変更
【補正の内容】
【００４９】
図１０に図示のとおり、引出し容器１５が手前に傾いたとき、引出し容器１５の取り出し部（前面上端薄肉部１５ｂ）が、図１０（ａ）の点線Ｌで示すように、隣の棚とほぼ水平の高さ位置になるように傾斜（角度１２度）させることで、取り出し性の向上を図る。それと共に、引出し容器１５の下方の棚１１の収納領域Ｓの前端上部の角に緩衝しない程度に傾斜しており、引出し容器１５を引出した状態でも下方の棚１１の収納食品の取り出しが可能である。また、回転中心が下の棚１１の収納領域の上方にあるにもかかわらず、引出した際には棚１１の収納領域に干渉しないので、食品などに接触することもない。上記傾斜角度を１２度に設定したものでは、図１０（ｂ）に示す引出し容器１５の前端高さの差Ｈは約５０mmで、後端の高さの差は約３０mmである。したがって、引出し容器１５を引出した際は、高さ方向に約８０mmの差ができるので、前端の収納食品から後端の食品まで容易に見ることができる。なお、使用者は、冷蔵庫から５０cm位は離れて立つのが普通であり、この場合は目の高さが引出し容器１５の前端の高さよりも少し低い人でも収納食品を見ることができる。
【手続補正１２】
【補正対象書類名】明細書
【補正対象項目名】００５０
【補正方法】変更
【補正の内容】
【００５０】
引出し容器１５を冷蔵庫本体１から取り外す方法を、図１１から図１３を用いて説明する。図１１は、扉の開放角度が充分で（実施例では１２０度以上）、扉ポケット１４が引出し容器１５の引出し方向に重ならない状態で引出し容器１５を取り出す場合の図である。尚、図１１（ａ）の状態では、図５（ａ）に点線で示すレール部１３ａによって、引出し容器１５がレール後端開口１３ｅから外れるのを防止している。
【手続補正１３】
【補正対象書類名】明細書
【補正対象項目名】００５３
【補正方法】変更
【補正の内容】
【００５３】
図１２及び図１３は、冷蔵室扉２ａの開放角度に制限があり、開放角度が不充分な場合でも引出し容器１５を取り出せる方法を示す図である。つまり、扉ポケット１４が引出し容器１５の引出し方向に重なっていても取り外すことができる例を示す。
【手続補正１４】
【補正対象書類名】明細書
【補正対象項目名】００５４
【補正方法】変更
【補正の内容】
【００５４】
図１２は、図１１（ｂ）の状態から図１２（ａ）の白抜き矢印のように冷蔵室の奥の方向に押し込んで、この押し込んだ状態から図１２（ｂ）の引出し容器１５の後端部を白抜き矢印のように上方に押し上げる。これで、引出し容器１５は、他の部材と全て係合する部分がなくなる。この状態から図１２（ｃ）の白抜き矢印のように引出し容器１５を手前側に引きながら扉ポケット１４に接触しないように前端部を下方に下げるように引く。これにより、引出し容器１５を、冷蔵庫本体１から取外すことができる。また、上記図１２（ｂ）の引出し容器１５の後端部を白抜き矢印のように上方に押し上げることができるように、ボス部１５ｃの直径をレール後端開口１３ｅの開口寸法より小さくしている。
【手続補正１５】
【補正対象書類名】明細書
【補正対象項目名】００５５
【補正方法】変更
【補正の内容】
【００５５】
このように、案内部材１３，仕切り兼用案内部材７（第一および第二の引出し案内部材）のレール部後端に形成されたレール後端開口１３ｅ，７ｅと、引出し容器１５を冷蔵室２の奥の方向に押し込んだ状態で引出し容器１５の後端部を上方に押し上げて前記レール後端開口１３ｅ，７ｅとの係合状態が外れる引出し容器１５の後部に形成されたボス部１５ｃとを有する。これにより、不用意にレール後端開口１３ｅ，７ｅとボス部１５ｃとの係合状態が外れることはなく、且つ必要な場合には容易に係合状態を外すことができる。
【手続補正１６】
【補正対象書類名】明細書
【補正対象項目名】００５７
【補正方法】変更
【補正の内容】
【００５７】
上記実施例によれば、引出し容器１５は、前方への引出しに伴って当該引出し容器１５の前側が引出し容器１５の引出しに伴って徐々に低く下がるようにした。手前側が低く下がった状態に傾斜して支持されるので、簡単な構成で収納スペースの減少を招くことなく、奥に収納された食品を見渡すことができる。しかも、食品を取り出す作業や引出し容器１５の奥の部分の清掃を容易に行うことができる。
【手続補正１７】
【補正対象書類名】明細書
【補正対象項目名】００５８
【補正方法】変更
【補正の内容】
【００５８】
更に、引出し容器１５の奥の部分が仕切り兼用案内部材７の先端部近くまで引出し易くするように、仕切り兼用案内部材７のレール部７ｃ前側の上方部分に空間を形成している。この空間は、仕切り兼用案内部材７の前面上部を前面下部よりも奥行き方向に凹んだ凹み部７ａによって形成されている。このように、空間を形成する凹み部７ａが形成されているので、引出し容器１５の奥の部分が仕切り兼用案内部材７の先端部近くまで引出した場合、奥の食品を引出し容器１５側面から容易に取り出すことができる。
【手続補正１８】
【補正対象書類名】明細書
【補正対象項目名】００６０
【補正方法】変更
【補正の内容】
【００６０】
更に以上の各実施例によれば、手前に引出すことにより、斜めに下降してくる引出し容器１５にして、奥の食品を手前に引出すことで、手前の食品はもちろんのこと、奥の食品も傾斜した状態で手前の位置まで出てくるので見易く且つ取り出し易い。
【手続補正１９】
【補正対象書類名】明細書
【補正対象項目名】００６１
【補正方法】変更
【補正の内容】
【００６１】
また、前記レール部７ｃ及び仕切り兼用案内部材７のボス部７ｂの前方及び後方を覆うように、シリコンゴム製の緩衝部材２０を取り付けたことにより、前後を覆うことで、引出し時及び収納時ともに衝撃と衝突音の緩衝・緩和をすることができる。
【手続補正２０】
【補正対象書類名】明細書
【補正対象項目名】００６２
【補正方法】変更
【補正の内容】
【００６２】
また、引出し容器１５の中に取外し可能な仕切り板２１を設け、また取り付け箇所を複数箇所設け、整理し易くした。これにより、収納食品によって引出し容器１５内を自由に区切ることができるので、食品収納の自由度を向上できる。
【手続補正２１】
【補正対象書類名】明細書
【補正対象項目名】００６４
【補正方法】変更
【補正の内容】
【００６４】
これにより、隣の棚１１がない場合に、引出し容器１５の中に重量の大きな食品を収納したことによって、仕切り兼用案内部材７が変形するのを防止して、引出し容器１５の落下を防ぐ。隣の棚１１の場合においても同様で、引出し容器１５がない場合の落下を防ぐことができる。
【手続補正２２】
【補正対象書類名】明細書
【補正対象項目名】００６５
【補正方法】変更
【補正の内容】
【００６５】
また、前記支持部材１８に耐摩耗性が高く、適度な摺動性を有する摺動部材１９を設け、引出し容器１５と係合させることにより、摺動部材１９による適度な摺動性によって緩やかに摺動するので衝撃を緩衝させる。
【手続補正２３】
【補正対象書類名】明細書
【補正対象項目名】００６６
【補正方法】変更
【補正の内容】
【００６６】
尚、上記摺動部材１９の摺動性は、収納食品の重量による引出し容器１５の撓み量が大きいほど大きな力で接するので、重量に対応して摺動性が変わる。このように、引出し容器１５に収納する収納食品の重量により、引出し容器１５は撓んでしまう。これを利用し、引出し容器１５に何も入ってない状態及び軽いものだけの状態の場合、引出し容器１５は撓まないので摺動部材１９と余り干渉せず、摺動負荷が軽い。しかし、重いものを収納すると引出し容器１５が撓むので、摺動部材１９と干渉するので摺動が重くなる。引出し容器１５に重いものが収納されるほど引出し容器１５が撓み、摺動部材１９との干渉が大きくなるので、摺動負荷がより大きくなる。これが摺動速度を緩やかにして、衝撃を小さくすることができる。
【手続補正２４】
【補正対象書類名】明細書
【補正対象項目名】００６７
【補正方法】変更
【補正の内容】
【００６７】
また、引出し容器１５が手前に傾いたとき、引出し容器１５の取り出し部（前面上端薄肉部１５ｂ）が、隣の棚１１とほぼ水平の高さ位置になるように傾斜させることで、取り出し性の向上を図ると共に、引出し容器１５の下方の棚の収納領域の前端上部の角に緩衝しない程度に傾斜しており、引出し容器１５を引出した状態でも下方の棚１１の収納食品の取り出しが可能である。また、回転中心が下の棚１１の収納領域の上方にあるにもかかわらず、引出した際には棚１１の収納領域に干渉しないので、食品などに接触することもない。